(57)【要約】      （修正有）【課題】  撮像に先立って撮像条件に対する警告を行うことにより、同一の構図の撮像において、撮像画像の美観を向上させることのできる撮像装置。【解決手段】  撮像画面内の各被写体までの距離が測定され、カメラから最も短い距離に位置する被写体が主要被写体に設定される。次に、撮像が縦撮像なのか否かが判断され、縦撮像の場合、前記主要被写体が人物で、顔が含まれるか否かが判断され、含まれる場合、含まれる顔領域が占める割合が演算され、割合が所定未満か否かが判断され、所定未満の場合、光軸が水平方向に対する角度が判定され、角度が所定の角度であるか否かにより、カメラの姿勢が仰角撮像の姿勢か否かが判断され、仰角撮像の姿勢でない場合、ＬＣＤ、スピーカーの少なくとも一方から撮像アドバイスが行われる。撮像者が撮像アドバイスを受けて姿勢を変更したか否かが判断され、姿勢が変更された場合へ移行する。【選択図】  図４
2006319470.tif 000002
【特許請求の範囲】
【請求項１】
撮像レンズにより設定される撮像画面内の各々の被写体までの距離を測定する測距手段と、
前記測距手段で測定した複数の距離に基づいて前記各々の被写体の中から主要被写体を少なくとも１つ設定する設定手段と、
前記撮像レンズの光軸に沿う方向の撮像方向と水平方向とのなす角度を検出する検出手段と、
撮像条件の決定を支援する撮像アドバイスを報知する報知手段と、
前記設定手段で設定した主要被写体までの距離が予め定めた所定距離より短く、且つ前記検出手段が俯角の撮像方向として予め定めた所定角度であるときに、現在の撮像条件に対する警告を表す撮像アドバイスを報知するように前記報知手段を制御する制御手段と、
を備えることを特徴とする撮像装置。
【請求項２】
前記報知手段は、ブザー装置を含み、
前記警告を表す撮像アドバイスとして、前記ブザー装置による警告をすることを特徴とする請求項１記載の撮像装置。
【請求項３】
前記制御手段は、前記撮像アドバイスとして、前記撮像条件について前記撮像方向を鉛直方向に平行移動する撮像条件にすること、又は前記撮像条件について前記撮像方向を水平方向から仰角方向に角度を有する撮像条件にすることを促す撮像アドバイスを報知するように更に制御することを特徴とする請求項１又は請求項２記載の撮像装置。
【請求項４】
前記検出手段は、前記撮像画面の向きを検知する検知手段を含み、
前記制御手段は、前記検知手段によって、前記撮像画面の水平方向の長さより垂直方向の長さの方が長い撮像画面の向きを検知したときに縦長撮像として、前記撮像アドバイスを報知するように制御することを特徴とする請求項１乃至請求項３の何れか１項記載の撮像装置。
【請求項５】
前記設定手段は、被写体が人物か否かを判定する判定手段を含み、
前記判定手段で被写体が人物と判定された被写体を主要被写体に設定することを特徴とする請求項１乃至請求項４の何れか１項記載の撮像装置。
【請求項６】
前記判定手段により前記主要被写体が人物に設定されたときに、前記主要被写体のうち顔領域が占める割合を演算する演算手段を更に備え、
前記制御手段は、前記演算手段の演算結果に基づいて、前記撮像アドバイスを報知するように制御することを特徴とする請求項５記載の撮像装置。
【請求項７】
前記撮像条件として、現在の高度、位置、時刻、年月日、及び被写体からの反射光の各々を計測する計測手段のうち少なくとも１つの計測手段と、
前記計測手段の計測結果に基づいて撮像状況を認識する認識手段と、
前記撮像状況に対応する撮像アドバイスを記憶する記憶手段と、
前記認識手段が認識した撮像状況に対応する撮像アドバイスを前記記憶手段から検索する検索手段と、を更に備え、
前記制御手段は、前記検索手段により検索された撮像アドバイスを報知するように更に制御することを特徴とする請求項１乃至請求項６の何れか１項記載の撮像装置。
【請求項８】
前記報知手段は、電気信号を音声に変換して音声を出力する拡声手段、及び撮像された画像を表示する画像表示手段の少なくとも一方によって撮像アドバイスを報知することを特徴とする請求項１乃至請求項７の何れか１項記載の撮像装置。
【発明の詳細な説明】
【技術分野】
【０００１】
本発明は、撮像装置に係り、特に、撮像アドバイスを行う機能を有する撮像装置に関する。
【背景技術】
【０００２】
デジタルカメラ（以下、単に「カメラ」という）の自動化が進み、レリーズボタンを押すだけでピントや露出を自動的に適正に設定するカメラが一般的となり、誰でもピント不良や露出不良などの失敗写真を撮ることがなく、簡単、かつ正確に良好な写真撮像が行えるようになってきている。
【０００３】
これに対し、撮像時に構図を決定する際の構図設定は、撮像者の主観に委ねられているため、構図的な違和感を感じさせない画像を自動的に撮像するカメラについては実現されていない。しかし、撮像初心者にとって、安定した構図を設定することは比較的難しい技術であり、また初心者は、撮像時に構図までも意識する余裕が無いことが多いため、特に人物のような被写体の撮像を行う場合には、撮像後に人物のバランスが悪い構図の写真を撮ってしまうといった問題がある。
【０００４】
このような問題に対し、撮像された画像データに基づいたアドバイス情報に従って撮像設定が変更されるカメラが提案されている（特許文献１参照）。
【０００５】
しかし、上述の提案では、撮像後にカメラの設定変更を行うものであり、撮像時の構図に対してアドバイスをするといったものではなく、これから行おうとしている撮像には役に立たない。撮像者にとっては、実際問題として、これから撮像しようとする被写体に対して構図をアドバイスしてもらう方が有益である。
【０００６】
これに対し、撮像に先立って、アドバイスを行う機能を有するカメラの提案がなされている。例えば、撮像モードに応じた撮像アドバイスを、具備する表示画面に表示するカメラの提案（特許文献２参照）、カメラを構えた撮像者よりも目線が低い子供、ペット等の被写体を撮像する場合には、被写体の目線で撮像する等の好ましい撮像がされるように注意を促すカメラの提案（特許文献３参照）、及び、撮像画面内の人物領域の位置、もしくは、前記人物領域の画面内の占有比率の少なくとも一方を検出することにより、現在の構図が最適でない場合には、最適構図のためのアドバイスを行うカメラの提案（特許文献４参照）がなされている。
【特許文献１】特開２００３−８９７７公報
【特許文献２】特開２０００−３３３０４５公報
【特許文献３】特開２００４−３３３８７２公報
【特許文献４】特開２００３−３３８９５５公報
【発明の開示】
【発明が解決しようとする課題】
【０００７】
しかしならがら、上記技術では、アドバイスされるのは、構図に関してのみであり、撮像画像の美観を向上させるための撮像アドバイスが行われることはなかった。
【０００８】
本発明は、上記事実を考慮し、撮像に先立って撮像条件に対する警告を行うことにより、同一の構図の撮像において、撮像画像の美観を向上させることのできる撮像装置を得ることを目的とする。
【課題を解決するための手段】
【０００９】
上記目標を達成するために、本発明は、撮像レンズにより設定される撮像画面内の各々の被写体までの距離を測定する測距手段と、前記測距手段で測定した複数の距離に基づいて前記各々の被写体の中から主要被写体を少なくとも１つ設定する設定手段と、前記撮像レンズの光軸に沿う方向の撮像方向と水平方向とのなす角度を検出する検出手段と、撮像条件の決定を支援する撮像アドバイスを報知する報知手段と、前記設定手段で設定した主要被写体までの距離が予め定めた所定距離より短く、且つ前記検出手段が俯角の撮像方向として予め定めた所定角度であるときに、現在の撮像条件に対する警告を表す撮像アドバイスを報知するように前記報知手段を制御する制御手段と、を備えることを特徴とする。
【００１０】
本発明によれば、測距手段が、撮像レンズにより設定される撮像画面内の各々の被写体までの距離を測定する。そして、設定手段が、測距手段で測定した複数の距離に基づいて各々の被写体の中から主要被写体を少なくとも１つ設定する。
【００１１】
また、検出手段が、水平方向に対してなす当該撮像装置の姿勢を検出する。
【００１２】
そして、設定手段で設定した主要被写体までの距離が予め定めた所定距離より短く、且つ検出手段が俯角の撮像方向として予め定めた所定角度であるときに、制御手段が、現在の撮像条件に対する警告を表す撮像アドバイスを報知するように報知手段を制御する。
【００１３】
一般的に、撮像の初心者が近距離の被写体を撮像する場合は、人物を撮像している場合である。そして、人物の撮像は、仰角撮像を行うとバランスがよくなる場合が多い。これに対し、概して初心者は、俯角の撮像方向として予め定めた所定角度で撮像を行ってしまう場合が多い。
【００１４】
そこで、本発明は、近距離の被写体を撮像する場合には、撮像に先立って撮像条件に対する警告を表す撮像アドバイスを報知する。これによって、本発明における撮像アドバイスによって、同一の構図の撮像において、撮像画像の美観を向上させることができる。
【００１５】
さらに、本発明においては、前記報知手段は、ブザー装置を含み、前記警告を表す撮像アドバイスとして、前記ブザー装置による警告をすることを特徴とする。
【００１６】
このように、本発明は、確実に撮像者に撮像アドバイスを報知することができる。
【００１７】
さらに、本発明においては、前記制御手段は、前記撮像アドバイスとして、前記撮像条件について前記撮像方向を鉛直方向に平行移動する撮像条件にすること、又は前記撮像条件について前記撮像方向を水平方向から仰角方向に角度を有する撮像条件にすることを促す撮像アドバイスを報知するように更に制御することを特徴とする。
【００１８】
このように、本発明は、撮像に先立って、撮像方向を鉛直方向に平行移動する撮像条件にすること、又は撮像方向を水平方向から仰角方向に角度を有する撮像条件にすることを促す。このような撮像アドバイスによって、同一の構図の撮像において、より撮像画像の美観を向上させることができる。
【００１９】
さらに、本発明においては、前記検出手段は、前記撮像画面の向きを検知する検知手段を含み、前記制御手段は、前記検知手段によって、前記撮像画面の水平方向の長さより垂直方向の長さの方が長い撮像画面の向きを検知したときに縦長撮像として、前記撮像アドバイスを報知するように制御することを特徴とする。
【００２０】
本発明によれば、制御手段は、検知手段に縦長撮像が検知されたときに制御する。
【００２１】
一般に、縦長撮像、且つ被写体までの距離が短い構図では、人物の全身が撮像されている場合が多い。そこで、本発明においては、縦長撮像、且つ被写体までの距離が短い構図のときに、制御手段が制御する。これによって、本発明は、撮像者に、より適切な撮像アドバイスを報知することができる。
【００２２】
また、本発明においては、前記設定手段は、被写体が人物か否かを判定する判定手段を含み、前記判定手段で被写体が人物と判定された被写体を主要被写体に設定することを特徴とする。
【００２３】
本発明によれば、判定手段により主要被写体が人物か否かを判定する。判定手段は、予め判定用の撮像画像を取得する取得手段を含み、取得した撮像画像からパターンマッチング等の形状判定処理を用い、人物を判定することができる。
【００２４】
さらに、本発明においては、前記判定手段により前記主要被写体が人物に設定されたときに、前記主要被写体のうち顔領域が占める割合を演算する演算手段を更に備え、前記制御手段は、前記演算手段の演算結果に基づいて、前記撮像アドバイスを報知するように制御することを特徴とする。
【００２５】
本発明によれば、主要被写体が人物に設定されたときに、演算手段が主要被写体のうち顔領域が占める割合を演算する。顔領域が占める割合を演算することで、人物が胸像なのか全身像であるかが分かる。そして、制御手段が、演算手段の演算結果に基づいて、撮像アドバイスを報知するように制御する。
【００２６】
一般的に、特に、主要被写体が人物の全身像であるときには、仰角撮像を行うことで、バランスとして好ましい小顔で脚長の撮像画像を得ることができる。
【００２７】
また、本発明においては、前記撮像条件として、現在の高度、位置、時刻、年月日、及び被写体からの反射光の各々を計測する計測手段のうち少なくとも１つの計測手段と、前記計測手段の計測結果に基づいて撮像状況を認識する認識手段と、前記撮像状況に対応する撮像アドバイスを記憶する記憶手段と、前記認識手段が認識した撮像状況に対応する撮像アドバイスを前記記憶手段から検索する検索手段と、を更に備え、前記制御手段は、前記検索手段により検索された撮像アドバイスを報知するように更に制御することを特徴とする。
【００２８】
本発明のように、撮像状況を認識し、認識した撮像状況に対応する撮像アドバイスを報知することが可能であると、撮像者の意図と異なる撮像画像を得ることを抑制することができる。
【００２９】
また、前記報知手段は、電気信号を音声に変換して音声を出力する拡声手段、及び撮像された画像を表示する画像表示手段の少なくとも一方によって撮像アドバイスを報知すればよい。
【００３０】
これによって、本発明は、確実に撮像者に撮像アドバイスを報知することができる。
【発明の効果】
【００３１】
以上説明したように、撮像に先立って撮像条件に対する警告を行うことにより、同一の構図の撮像において、撮像画像の美観を向上させることのできる撮像装置を得るという優れた効果を有する。
【発明を実施するための最良の形態】
【００３２】
以下、図面を参照して、本発明の実施形態について詳細に説明する。
【００３３】
まず、図１を参照して、本実施形態に係るデジタルカメラ（以下、単に「カメラ」という）１０の外観上の構成を説明する。
【００３４】
カメラ１０の正面には、被写体像を結像させるためのレンズ１１と、撮像時に必要に応じて被写体に照射する光（撮像補助光）を発する発光部１４と、撮像する被写体の構図を決定するために用いられるファインダ１６と、が備えられている。また、カメラ１０の上面には、撮像を実行する際に押圧操作されるレリーズボタン（所謂シャッター）１８Ａと、電源スイッチ１８Ｂと、モード切替スイッチ１８Ｃと、が備えられている。
【００３５】
なお、本実施形態に係るカメラ１０のレリーズボタン１８Ａは、中間位置まで押下される状態（以下、「半押し状態」という）と、当該中間位置を超えた最終押下位置まで押下される状態（以下、「全押し状態」という）と、の２段階の押圧操作が検出可能に構成されている。
【００３６】
そして、カメラ１０では、レリーズボタン１８Ａを半押し状態にすることによりＡＥ（Automatic Exposure、自動露出）機能が働いて露出状態（シャッタースピード、絞りの状態）が設定された後、オートフォーカス（ＡＦ）機能が働いて合焦制御され、その後、引き続き全押し状態にすると露光（撮像）が行われる。
【００３７】
また、モード切替スイッチ１８Ｃは、被写体に接近した状態で撮像するモードである マクロ撮像モード、静止画像の撮像を行うモードである静止画撮像モード、動画像の撮像を行うモードである動画撮像モード、及び被写体像を後述するＬＣＤ２０に再生するモードである再生モードの何れかのモードに設定する際に回転操作される。
【００３８】
さらに、カメラ１０の背面には、前述のファインダ１６の接眼部と、撮像された被写体像やメニュー画面等を表示するための液晶ディスプレイ（以下、「ＬＣＤ」という）２０と、電気信号を音声に変換し、音声にて種々の情報を報知するスピーカー２２と、十字カーソルボタン１８Ｄと、が備えられている。なお、十字カーソルボタン１８Ｄは、ＬＣＤ２０の表示領域における上・下・左・右の４方向の移動方向を示す４つの矢印ボタンを含んで構成されている。前記ＬＣＤ２０、及びスピーカー２２は、カメラ１０の被写体に対する位置が不適切だと判断された場合等には、撮像アドバイスを行うようになっている。
【００３９】
さらに、カメラ１０の背面には、ＬＣＤ２０にメニュー画面を表示させるときに押圧操作されるメニューボタンと、それまでの操作内容を確定するときに押圧操作される決定ボタンと、直前の操作内容をキャンセルするときに押圧操作されるキャンセルボタンと、発光部１４の発光状態を設定するときに押圧操作される発光ボタンと、が備えられている。
【００４０】
さらに、カメラ１０の正面には、フレーム内に収まっている被写体のうち顔領域を検出する顔抽出センサ２６が備えられている。該顔抽出センサ２６は公知の方式であればいかなるセンサでも使用可能であり、本実施形態においてはその方式は限らない。
【００４１】
さらに、カメラ１０の正面には、撮像画面内の被写体までの距離を検出する測距センサ２４が備えられている。測距センサ２４としては、ＴＯＦ式、位相差式、及び三角測量式等の光を用いる方式でもよいし、赤外線を用いる方式でもよく、測距可能であるならば、本実施形態においては方式は限らない。
【００４２】
次に、図２を参照して、本実施形態に係るカメラ１０の電気系の要部構成を説明する。
【００４３】
カメラ１０は、前述のレンズ１１を含んで構成された光学ユニット１２と、レンズ１１の光軸後方に配設された電荷結合素子（以下、「ＣＣＤ」という）２８と、入力されたアナログ信号に対して各種のアナログ信号処理を行うアナログ信号処理部３０と、を含んで構成されている。
【００４４】
また、カメラ１０は、入力されたアナログ信号をデジタルデータに変換するアナログ／デジタル変換器（以下、「ＡＤＣ」という）３２と、入力されたデジタルデータに対して各種のデジタル信号処理を行うデジタル信号処理部３４と、を含んで構成されている。
【００４５】
なお、デジタル信号処理部３４は、所定容量のラインバッファを内蔵し、入力されたデジタルデータを後述するメモリ４８の所定領域に直接記憶させる制御も行う。
【００４６】
ＣＣＤ２８の出力端はアナログ信号処理部３０の入力端に、アナログ信号処理部３０の出力端はＡＤＣ３２の入力端に、ＡＤＣ３２の出力端はデジタル信号処理部３４の入力端に、各々接続されている。従って、ＣＣＤ２８から出力された被写体像を示すアナログ信号はアナログ信号処理部３０によって所定のアナログ信号処理が施され、ＡＤＣ３２によってデジタル画像データに変換された後にデジタル信号処理部３４に入力される。
【００４７】
さらに、カメラ１０は、前述の測距センサ２４と接続し、測距センサ２４の検出により当該カメラ１０から撮像画面内の被写体の各位置までの距離を演算する測距演算部５６と接続している。
【００４８】
前記測距演算部５６は、撮像画面内の被写体のうち、当該カメラ１０から予め定められた所定長内で最も近く、且つ人物である被写体を、主要被写体に設定する被写体設定部５８と接続している。この場合、ＣＰＵ４４は被写体判断用として、撮像系により事前に撮像画像を取得するべく、撮像系を制御する。この取得は、本発明の取得手段の機能に対応する。取得した撮像画像について、被写体設定部５８は、パターンマッチング等の形状判定を行い、人物を判定する。なお、パターンマッチング等の形状判定処理は、被写体設定部５８内に画像処理部を設けて処理してもよく、デジタル信号処理部３４で処理させてその結果を用いてもよい。
【００４９】
さらに、カメラ１０は、前述の顔抽出センサ２６と接続し、顔抽出センサ２６の検出によりフレーム内に収まる被写体のうち、顔領域の占める割合を判断する顔範囲判断部６０と接続している。
【００５０】
前記顔範囲判断部６０は、該顔領域の範囲から、当該撮像が胸像撮像か全身撮像かを判断するようになっている。
【００５１】
また、カメラ１０は、当該カメラ１０の角度を検出する角度センサ６２を備えている。本実施形態では、角度センサ６２として、図３（Ａ）に示されるような、Ｘ、Ｙ、Ｚの３軸における加速度を検出する３軸加速度センサが用いられている。当該３軸加速度センサは、図３（Ｂ）に示されるように、抵抗回路３Ａが配置された変位部３Ｂ、及び重錘３Ｃ等で形成されており、該抵抗回路３Ａは、該変位部３Ｂが、変形によって生じる応力により抵抗値を変化させる。そして、３軸加速度センサは、Ｘ、Ｙ、Ｚ各々の方向に形成される抵抗回路３Ａにより、各軸において受ける応力を抵抗比で電気信号の変化を検出するようになっており、角度が検出できるようになっている。なお、図３（Ｂ）には、矢印ＦＸで示されるように、Ｘ方向に傾いている場合の３軸加速度センサが示されている。また、図３（Ｃ）には、矢印ＦＺで示されるように、Ｚ方向に傾いている場合の３軸加速度センサが示されている。
【００５２】
当該角度センサ６２は、角度センサ６２の検出に基づき当該カメラ１０の角度を演算する角度演算部６４と接続している。そして、前記角度演算部６４は、当該カメラ１０において行われている撮像が縦長撮像か横長撮像か、及び被写体に対して俯角か仰角かを判断する姿勢判断部６６と接続している。該姿勢判断部６６は、前記角度演算部６４が演算したカメラ１０の角度から、当該撮像が顔までの距離が近距離であり（即ち、ポートレート撮像であり）、全身撮像であると判断され、撮像が縦長撮像と判断した場合は、カメラ１０の姿勢が、仰角撮像の姿勢であるか否かを判断するようになっている。該姿勢判断部６６は、前記角度演算部６４が演算したカメラ１０の角度が、カメラ１０の光軸が水平方向から下方へ向かう回転方向で予め定められた所定角度の場合は、当該撮像時のカメラ１０の姿勢が仰角撮像の姿勢であると判断するようになっている。さらに、該姿勢判断部６６は、後述のＣＰＵ４４に、仰角撮像の姿勢であるか否かの判断結果を出力するようになっている。
【００５３】
また、カメラ１０は、被写体像やメニュー画面等をＬＣＤ２０に表示させるための信号を生成してＬＣＤ２０に供給するＬＣＤインターフェース４０と、注意喚起音等をスピーカー２２に出力させるための信号を生成してスピーカー２２に供給するスピーカーインタフェース４２と、カメラ１０全体の動作を司るＣＰＵ（中央処理装置）４０と、撮像により得られたデジタル画像データ等を記憶するメモリ４８と、メモリ４８に対するアクセスの制御を行うメモリインターフェース４６と、を含んで構成されている。
【００５４】
さらに、カメラ１０は、可搬型のメモリカード５２をカメラ１０でアクセス可能とするための外部メモリインタフェース５０と、デジタル画像データに対する圧縮処理及び伸張処理を行う圧縮・伸張処理回路５４と、を含んで構成されている。
【００５５】
なお、本実施形態のカメラ１０では、メモリ４８としてフラッシュ・メモリ（Flash Memory）が用いられ、メモリカード５２としてスマートメディア（Smart Media（登録商標））が用いられている。
【００５６】
デジタル信号処理部３４、ＬＣＤインターフェース４０、スピーカーインタフェース４２、ＣＰＵ４４、メモリインターフェース４６、外部メモリインタフェース５０及び圧縮・伸張処理回路５４はシステムバスＢＵＳを介して相互に接続されている。従って、ＣＰＵ４４は、デジタル信号処理部３４及び圧縮・伸張処理回路５４の作動の制御、ＬＣＤ２０に対するＬＣＤインターフェース４０を介した各種情報の表示、メモリ４８及びメモリカード５２へのメモリインターフェース４６ないし外部メモリインタフェース５０を介したアクセスを各々行うことができる。
【００５７】
また、カメラ１０には、主としてＣＣＤ２８を駆動させるためのタイミング信号を生成してＣＣＤ２８に供給するタイミングジェネレータ３６が備えられており、ＣＣＤ２８の駆動はＣＰＵ４４によりタイミングジェネレータ３６を介して制御される。
【００５８】
さらに、カメラ１０にはモータ駆動部３８が備えられており、光学ユニット１２に備えられた焦点調整モータ、ズームモータ及び絞り駆動モータの駆動もＣＰＵ４４によりモータ駆動部３８を介して制御される。
【００５９】
本実施形態に係るレンズ１１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４４の制御によりモータ駆動部３８から供給された駆動信号によって駆動される。
【００６０】
また、ＣＰＵ４４は姿勢判断部６６が全身のポートレート撮像であると判断され、且つ仰角でないと判断すると、該判断に基づき、ＬＣＤ２０に「撮像レンズの位置を下げるように！」等の撮像アドバイスの表示、及びスピーカー２２に、注意喚起音を出力させるようになっている。これによって、当該カメラ１０は、小顔、且つ脚長な撮像画像が得られる撮像を促すことができるようになっている。
【００６１】
さらに、前述のレリーズボタン１８Ａ、電源スイッチ１８Ｂ、モード切替スイッチ１８Ｃ、十字カーソルボタン１８Ｄ、メニューボタン等の各種ボタン、スイッチ類（以下、「操作部１８」と総称する場合がある）はＣＰＵ４４に接続されており、ＣＰＵ４４は、これらの操作部１８に対する操作状態を常時把握できる。また、前述した発光部１４もＣＰＵ４４に接続されており、発光部１４による撮像補助光の発光もＣＰＵ４４によって制御される。
【００６２】
次に、第１実施形態の作用を図４のフローチャートに従い説明する。
【００６３】
まず、人物の全身像を撮像する場合を説明する。撮像者は、図５（Ａ）に示されるように、撮像者の目線の高さでカメラ１０５Ａ１を構え、被写体人物５Ａを縦長撮像になるように撮像しようとしている。
【００６４】
図４（Ａ）に示されるステップ１００では、姿勢アドバイス処理が行われる。次に、ステップ１０２で、撮像が行われる。
【００６５】
前記ステップ１００での姿勢アドバイス処理について図４（Ｂ）を用いて詳しく説明する。
【００６６】
ステップ１５０では、測距センサ２４及び測距演算部５６による撮像画面内の各被写体までの距離（図５（Ａ）に示される矢印５Ｂ）が測定される。次のステップ１５２では、被写体設定部５８にて、カメラ１０から予め定めた所定長以内で最も短い距離に位置する被写体が主要被写体に設定される。概して、初心者の撮像においては、被写体までの距離が短い場合は撮像対象が人物であり、被写体までの距離が長い場合は、撮像対象が風景である。なお、主要被写体の設定は、カメラ１０から最短距離の被写体に限定されない。例えば、予め定めた距離の被写体でもよい。
【００６７】
次のステップ１５４では、角度センサ６２及び角度演算部６４により、カメラ１０における、撮像画面の向きが判定される。次に、ステップ１５６では、前記ステップ１５０で判定された向きに基づき、当該撮像が縦長撮像なのか否かが判断され、縦長撮像の場合、肯定されステップ１５８へ移行し、ステップ１５６で否定されると当該姿勢アドバイス処理は終了する。ここでは、撮像者は、縦長撮像を行っているから、ステップ１５８へ移行する。
【００６８】
ステップ１５８では、被写体設定部５６にて、前記主要被写体が、人物か否かが判断され、人物である場合、肯定されステップ１６０へ移行し、ステップ１５８で否定されると当該姿勢アドバイス処理は終了する。ここでは、人物を撮像しているので、ステップ１６０へ移行する。
【００６９】
ステップ１６０では、顔抽出センサ２６にて、前記主要被写体が検出される。次に、ステップ１６２では、顔抽出センサ２６の検出により、前記主要被写体に、顔が含まれるか否かが判断され、顔が含まれる場合、肯定されステップ１６４へ移行し、ステップ１６２で否定されると当該姿勢アドバイス処理は終了する。ここでは、顔を含む人物を撮像しているので、ステップ１６４へ移行する。
【００７０】
ステップ１６４では、顔範囲判断部６０により、撮像画面で顔領域が占める割合が判断される。次のステップ１６６では、顔範囲判断部６０により、撮像画面で顔領域が占める割合が所定未満か否かが判断される。所定未満の場合、例えば図５（Ｂ）に示されるような顔領域の割合の場合は、肯定されステップ１６８へ移行する。一方、図５（Ａ）に示されるように撮像者がカメラ１０５Ａ２を構えている場合は、図５（Ｃ）に示されるような顔領域の割合の場合となり、ステップ１６６の判断は否定され、当該姿勢アドバイス処理は終了する。ここでは、人物の全身像を撮像しているため、人物の顔領域の割合は所定未満となり、ステップ１６８へ移行する。
【００７１】
ステップ１６８では、角度センサ６２及び角度演算部６４により、カメラ１０の光軸が水平方向に対する角度が判定される。次のステップ１７０では、姿勢判断部６６により、前記ステップ１６８において判定された角度が所定の角度であるか否かにより、カメラ１０の姿勢が仰角の姿勢か否かが判断される。例えば、図６（Ａ）に示されるカメラ１０６Ａ１の光軸６Ａ１の水平方向に対する角度が仰角の姿勢の判断基準となる。該判断基準の角度よりも大きい場合は仰角の姿勢と判断され、該判断基準の角度よりも小さい場合は俯角の姿勢と判断される。
【００７２】
次に、ステップ１７２では、カメラ１０の姿勢が仰角撮像の姿勢であるか否かが判断される。仰角撮像の姿勢でない場合、否定されステップ１７４へ移行し、ステップ１７２で肯定されると当該姿勢アドバイス処理は終了する。ここでは、カメラ１０５Ａ１は撮像者の目線の高さで構えられているため、光軸６Ａ２の水平方向に対する角度は、光軸６Ａ１の水平方向に対する角度よりも小さい。このため、当該撮像は仰角撮像の姿勢ではない。従って、ステップ１７４へ移行する。
【００７３】
ステップ１７４では、ＣＰＵ４４を介し、ＬＣＤ２０、スピーカー２２の少なくとも一方から撮像アドバイスが行われる。ステップ１７４における撮像アドバイスとは、例えば図６（Ｂ）に示されるようなメッセージ６ＢのＬＣＤ２０への表示であり、図６（Ａ）に示されるカメラ１０６Ａ３の位置で構えることが促される。カメラ１０６Ａ３の位置から人物被写体５Ａを捉えると、図６（Ｃ）に示されるような、バランスのよい被写体像６Ｃを得ることができる。次に、ステップ１７６へ移行する。ステップ１７６では、撮像者が撮像アドバイスを受けて撮像姿勢を変更したか否かが判断される。撮像姿勢が変更された場合、肯定され、前述のステップ１５０へ移行し、否定されると当該姿勢アドバイス処理は終了する。
【００７４】
一般的に、撮像の初心者が近距離の被写体を撮像する場合は、人物を撮像している場合である。さらに、縦長撮像の場合には、人物の全身が撮像されている場合が多い。
【００７５】
そして、人物の撮像は、仰角撮像を行うとバランスがよくなる場合が多い。これに対し、概して初心者は、被写体を見下ろすような姿勢で、俯角撮像を行ってしまう場合が多い。
【００７６】
また、特に、主要被写体が人物の全身像である場合には、仰角撮像を行うことで、バランスとして好ましい小顔で脚長の撮像画像を得ることができる。
【００７７】
第１実施形態では、近距離の人物の全身を縦長撮像する場合には、撮像に先立って仰角撮像を行うように撮像アドバイスを出力し、該撮像アドバイスによって、同一の構図の撮像において、撮像画像の美観を向上させることができる。
【００７８】
続いて、第２実施形態に係るデジタルカメラ１０について説明する。第２実施形態に係るデジタルカメラ１０の外観は、第２実施形態に係るデジタルカメラ１０と同一である。
【００７９】
第２実施形態に係るカメラ１０の電気系の要部構成を、図７を参照して説明する。
【００８０】
第１実施形態では、主に初心者向けに、単純に仰角撮像をアドバイスするデジタルカメラ１０について説明したが、第２実施形態では、様々な撮像状況に合わせた撮像アドバイスを出力するデジタルカメラ１０について説明する。
【００８１】
第２実施形態に係るカメラ１０は、第１実施形態に係るデジタルカメラ１０の構成に対し、撮像環境の気圧を検出する気圧センサ６８、前記気圧センサにより検出される気圧により、当該撮像環境の高度を判断する高度判定部７０、及び衛星データを受信することにより現在位置を把握するＧＰＳ７２をさらに含み構成されている。そして、該高度判定部７０は撮像環境の高度を、該ＧＰＳ７２は撮像環境の位置を、ＣＰＵ４４に出力するようになっている。
【００８２】
また、カメラ１０は、内蔵されるカレンダ７４、時計７６、前記ＧＰＳ７２、及びＡＥ機能から、太陽の有無、太陽の高さ、太陽の方向等の撮像時の太陽状況を演算する太陽状況演算部７８を備えている。そして、太陽状況演算部７８は、演算した太陽状況をＣＰＵ４４に出力するようになっている。
【００８３】
さらに、カメラ１０は、撮像状況に応じた撮像アドバイス情報を格納した撮像アドバイスデータテーブル８０を備えている。撮像アドバイスデータテーブル８０に格納される撮像状況は、ＣＰＵ４４により、高度判定部７０、ＧＰＳ７２、及び太陽状況演算部７８のからの出力結果と照らし合わされるようになっている。
【００８４】
さらに、カメラ１０は、ＡＥ機能を制御するＡＥ機能制御部８２を備え、該ＡＥ機能制御部８２は、高度判定部７０、ＧＰＳ７２、及び太陽状況演算部７８からの出力に基づき、ＣＰＵ４４に制御されるようになっている。
【００８５】
続いて、第２実施形態の作用を図８に示されるフローチャートを用いて説明する。
【００８６】
ステップ２００では、気圧センサ６８が、撮像環境の気圧を検出する。次に、ステップ２０２では、高度判定部７０が該気圧から撮像環境の高度を判断し、ＣＰＵ４４に判断情報を出力する。
【００８７】
次に、ステップ２０４では、ＧＰＳ７２が撮像環境の位置を判断し、ＣＰＵ４４に判断情報を出力する。
【００８８】
次に、ステップ２０６では、太陽状況演算部７８が、カメラ１０に内蔵されるカレンダ７４、時計７６、ＧＰＳ７２、及びＡＥ機能から、太陽の有無、太陽の高さ、太陽の方向等の撮像時の太陽状況を演算し、ＣＰＵ４４に演算情報を出力する。
【００８９】
次に、ステップ２０８へ移行する。ステップ２０８では、ＣＰＵ４４が、高度判定部７０、ＧＰＳ７２、及び太陽状況演算部７８からの出力結果と、撮像アドバイスデータテーブル８０に格納される撮像状況とを照らし合わせる。次に、ステップ２１０では、撮像アドバイスデータテーブル８０に格納される、例えば、夜明け、日中、夕暮れ、夜、逆光、及び屋内外等の撮像状況に適合した撮像アドバイス情報をＬＣＤ２０、スピーカー２２の少なくとも一方に出力させる。
【００９０】
ところで、ＡＥ機能の向上により、撮像におけるミスは大幅に低減している。一方で、ＡＥ機能により、夜明け直前、夕暮れ、夜景、逆光（日中シンクロ撮像）等の特殊条件下での撮像において、撮像者の意図と異なる撮像画像が撮像されてしまうといったことが起こる場合がある。そこで、第２実施形態では、特殊環境下においては、ＡＥ機能が制御できるようになっている。
【００９１】
ステップ２１２では、撮像環境が特殊状況下か否かが判断される。撮像環境が特殊状況である場合、肯定されステップ２１４へ移行し、ステップ２１２で否定されるとステップ２２０へ移行する。
【００９２】
ステップ２１４では、ＣＰＵ４４を介し、ＬＣＤ２０にＡＥ機能の要否の問いを出力し、撮像者に要否の入力を促す。なお、ＬＣＤ２０は、タッチパネルが取り付けられたタッチスクリーンであり、撮像者からの回答は、該タッチスクリーンを指等で触れることで行える機構であってもよい。
【００９３】
次にステップ２１６では、撮像者からＡＥ機能が不要との回答があったか否かが判断される。ＡＥ機能が不要との回答があった場合、肯定されステップ２１８へ移行し、ステップ２１６で否定されるとステップ２２０に移行する。
【００９４】
ステップ２１８では、ＣＰＵ４４を介し、ＡＥ機能制御部８２がＡＥ機能による自動色調節を行わないように制御する。
【００９５】
次に、ステップ２２０では、前述の姿勢アドバイス処理が行われる。次に、ステップ２２２に移行する。ステップ２２２では、撮像者が撮像アドバイスを受けて撮像状況を変更したか否かが判断される。撮像状況が変更された場合、肯定され、前述のステップ２００へ移行し、否定されるとステップ２２４に移行する。ステップ２２４では、撮像が行われる。
【００９６】
このように、第２実施形態のカメラ１０は、撮像状況を認識し、認識した撮像状況に応じた撮像アドバイスを出力することが可能であり、撮像者の意図と異なる撮像画像を得ることを抑制することができる。
【図面の簡単な説明】
【００９７】
【図１】第１実施形態に係るデジタルカメラの外観を示す外観図である。
【図２】第１実施形態に係るデジタルカメラの電気系の要部構成を示すブロック図である。
【図３】（Ａ）は３軸加速度センサの３軸を表し、（Ｂ）はＸ方向に傾いている場合の説明図であり、（Ｃ）はＺ方向に傾いている場合の説明図である。
【図４】第１実施形態に係るデジタルカメラにおける処理の流れを示すフローチャートである。
【図５】（Ａ）は人物の全身を撮像している図であり、（Ｂ）は人物の全身を撮像するときの撮像画面を示し、（Ｂ）は人物の顔部のみを撮像するときの撮像画面を示す。
【図６】（Ａ）は被写体に対する異なるカメラの位置を示す図であり、（Ｂ）は被写体の上部の高さから撮像する場合の撮像画面を示し、（Ｃ）は被写体の下部の高さから撮像する場合の撮像画面を示す。
【図７】第２実施形態に係るデジタルカメラの電気系の要部構成を示すブロック図である。
【図８】第２実施形態に係るデジタルカメラにおける処理の流れを示すフローチャートである。
【符号の説明】
【００９８】
１０  デジタルカメラ（撮像装置）
１１   レンズ（撮像レンズ）
１２   光学ユニット
１６   ファインダ
１８   操作部
１８Ａ レリーズボタン
２０  ＬＣＤ（報知手段）
２２   スピーカー（報知手段）
２４   測距センサ
２６   顔抽出センサ
２８   ＣＣＤ（測光手段）
３６   タイミングジェネレータ
３８   モータ駆動部
４０   ＬＣＤインターフェース
４２   スピーカーインタフェース
４４   ＣＰＵ（制御手段、認識手段、検索手段）
５６   測距演算部（測距手段）
５８   被写体設定部（設定手段、判定手段）
６０   顔範囲判断部（演算手段）
６２   角度センサ
６４   角度演算部
６６   姿勢判断部（検出手段）
６８   気圧センサ（計測手段）
７０   高度判定部（計測手段）
７２   ＧＰＳ（計測手段）
７４   カレンダ（計測手段）
７６   時計（計測手段）
７８   太陽状況演算部（計測手段）
８０   撮像アドバイスデータテーブル（記憶手段）
８２   ＡＥ機能制御部
【図１】
2006319470.tif 000003
【図２】
2006319470.tif 000004
【図３】
2006319470.tif 000005
【図４】
2006319470.tif 000006
【図５】
2006319470.tif 000007
【図６】
2006319470.tif 000008
【図７】
2006319470.tif 000009
【図８】
2006319470.tif 000010